(57)【要約】【課題】長尺状の板形状を有する取付ベース部に電気配線を簡単に行うことができる遊技機の配線構造を提供すること。【解決手段】配線構造１０は、遊技機１における枠体としての機構板に、長尺状の板形状を有する取付ベース部３を形成し、取付ベース部３に、電気配線を行うための長尺状の配線カバー４を取り付けてなる。配線カバー４は、取付ベース部３に配設する挟持部４１と、電気ケーブル５を収容する配線収容部４２とを有している。挟持部４１は、取付ベース部３と対向する内側対向面４０１において、配線カバー４の長尺方向における複数箇所に、取付ベース部３に形成した被係合部３１１に係合する係合部４１１を有している。挟持部４１は、内側対向面４０１とは反対側の外側露出面４０２において、係合部４１１の形成箇所に対応して、係合部４１１の形成箇所を示す取付目印４３を有している。【選択図】図１
2007282853.tif 000002
【特許請求の範囲】
【請求項１】
板形状を有する取付ベース部に長尺状の配線カバーを取り付けると共に、該配線カバー内に電気配線を行う遊技機の配線構造において、
上記配線カバーは、上記取付ベース部に配設する取付部と、電気ケーブルを収容する配線収容部とを備えており、上記取付部は、上記配線カバーの長尺方向における複数箇所に、上記取付ベース部に形成した被係合部に係合する係合部を有しており、
かつ上記配線カバーは、上記係合部の形成箇所に対応して、該係合部の形成箇所を示す取付目印を有していることを特徴とする遊技機の配線構造。
【発明の詳細な説明】
【技術分野】
【０００１】
本発明は、配線カバーを用いた遊技機における電気配線構造に関する。
【背景技術】
【０００２】
パチンコ遊技機等の遊技機においては、例えば、この遊技機において使用する直流電力等を作り出す電源ユニット、遊技球の発射及び遊技球の払出等の制御を行う制御ユニット、遊技球を貯留する球タンク、この球タンクから球払出装置へ遊技球を流下させる球流路等を配設した機構板を、遊技盤を配設してなる本体枠に対して開閉可能に設けている。
そして、この機構板において、電源ケーブル又はスイッチ等の信号ケーブルを配線する際には、これらのケーブルを収納するケース等の配線部材を使用することがある。
【０００３】
このような配線部材としては、例えば、特許文献１に開示されたパチンコ機の機構板における配線押え部材の取付構造がある。この特許文献１においては、パチンコ機の機構板に設けた配線収納溝へ、配線押え部材を、ビス止めすることなくワンタッチ式に簡単に取り付けるための工夫を行っている。より具体的には、複数本の配線を束ねて収納する配線収納溝と、この配線収納溝を塞ぐ配線押え部材とを用い、配線押え部材に設けた複数の係止部を、配線収納溝に設けた複数の被係止部に係止させて、配線押え部材を配線収納溝に取り付けている。
【０００４】
しかしながら、遊技機において、各種のケーブルの配線を行う箇所は様々である。特に、機構板等の枠体に、板形状を有する取付ベース部を形成した場合においては、この取付ベース部に配線部材を簡単に取り付けるためには更なる工夫が必要とされる。
【０００５】
【特許文献１】特開平７−２３６７５２号公報
【発明の開示】
【発明が解決しようとする課題】
【０００６】
本発明は、かかる従来の問題点に鑑みてなされたもので、板形状を有する取付ベース部に電気配線を簡単に行うことができる遊技機の配線構造を提供しようとするものである。
【課題を解決するための手段】
【０００７】
本発明は、板形状を有する取付ベース部に長尺状の配線カバーを取り付けると共に、該配線カバー内に電気配線を行う遊技機の配線構造において、
上記配線カバーは、上記取付ベース部に配設する取付部と、電気ケーブルを収容する配線収容部とを備えており、上記取付部は、上記配線カバーの長尺方向における複数箇所に、上記取付ベース部に形成した被係合部に係合する係合部を有しており、
かつ上記配線カバーは、上記係合部の形成箇所に対応して、該係合部の形成箇所を示す取付目印を有していることを特徴とする遊技機の配線構造にある（請求項１）。
【０００８】
本発明の配線構造は、遊技機に板形状を有する取付ベース部を形成した際に、この取付ベース部に電気配線を行うときの工夫を行っている。
本発明の配線構造においては、取付ベース部に電気配線を行うために、上記取付部と配線収容部とを備えた配線カバーを用いている。この配線カバーの取付部には、上記複数の係合部と複数の取付目印とを形成している。
【０００９】
そして、本発明においては、配線カバーの取付部によってこの配線カバーを取付ベース部に取り付け、かつ配線カバーの配線収容部内の長尺方向に向けて各種の電気ケーブルを配置することによって、取付ベース部に電気配線を行うことができる。また、配線カバーの配線収容部内の長尺方向に向けて各種の電気ケーブルを配置し、かつ配線カバーの取付部によってこの配線カバーを取付ベース部に取り付け、取付ベース部に電気配線を行うこともできる。
【００１０】
また、本発明の配線カバーにおいては、各係合部の形成位置に対応して、各取付目印を配線カバーに形成している。
そのため、作業者は、配線カバーを取付ベース部に取り付ける際には、各取付目印を視認することにより、各係合部の形成箇所を認識することができる。これにより、作業者は、各取付目印の形成箇所を、取付ベース部における各被係合部の形成箇所に合わせることによって、当該配線カバーを簡単に取付ベース部に取り付けることができる。
【００１１】
それ故、本発明の遊技機の配線構造によれば、板形状を有する取付ベース部に電気配線を簡単に行うことができる。
【発明を実施するための最良の形態】
【００１２】
上述した本発明における好ましい実施の形態につき説明する。
本発明において、上記取付ベース部は、電源ユニット及び制御ユニットを配設してなると共に開口部を形成する枠形状を有する機構板（機構枠）の左右いずれかの側辺部に形成することが好ましい。
【００１３】
この場合には、機構板における左右いずれかの側辺部を、上記配線カバーを取り付けた取付ベース部のみによって形成することができ、機構板の左右いずれかの側辺部の左右方向の厚みを極めて小さくすることができる。そのため、機構板における開口部の開口面積を容易に大きくすることができる。これにより、遊技盤の遊技領域に取り付けられる画像表示装置や入賞装置等は、その後方突出部分を開口面積が大きな開口部内に適宜配置することができ、当該画像表示装置や入賞装置等の配設の自由度を向上させることができる。
【００１４】
また、上記取付ベース部は、板金により形成することができる。この場合には、取付ベース部の強度を容易に確保して、この取付ベース部の厚みを容易に小さくすることができる。
また、上記長尺状の配線カバーとは、上記電気ケーブルを配線する方向の寸法が、この方向に直交する断面における最大寸法に比べて、少なくとも２倍以上である配線カバーが少なくとも含まれる。
【実施例】
【００１５】
以下に、本発明の遊技機の配線構造にかかる実施例につき、図面と共に説明する。
本例の配線構造１０は、図１〜図５に示すごとく、遊技機１における枠体としての機構板２に、長尺状の板形状を有する取付ベース部３を形成し、この取付ベース部３に長尺状の配線カバー４を取り付けると共に、この配線カバー４内に電気配線を行って構成してある。
【００１６】
図１〜図３に示すごとく、上記配線カバー４は、取付ベース部３の両側表面３０１、３０２に当接してこの取付ベース部３に配設する取付部としての挟持部４１と、この挟持部４１の一端から延長形成し電気ケーブル５を収容する配線収容部４２とを連続形成してなる。そして、配線カバー４において、挟持部４１と配線収容部４２とを備えた断面形状は、長尺状に連続形成してある。
【００１７】
図１、図６に示すごとく、上記挟持部４１は、取付ベース部３と対向する内側対向面４０１において、配線カバー４の長尺方向Ｌにおける複数箇所に、取付ベース部３に形成した被係合部３１１に係合する係合部４１１を有している。また、挟持部４１は、内側対向面４０１とは反対側の面である外側露出面４０２において、係合部４１１の形成箇所に対応して、この係合部４１１の形成箇所を示す取付目印４３を有している。
【００１８】
以下に、本例の遊技機１における枠体（機構板２）の配線構造１０につき、図１〜図９と共に詳説する。
図４に示すごとく、本例の遊技機１は、パチンコ遊技を行うパチンコ遊技機１であり、このパチンコ遊技機１は、外枠１１に対して、遊技盤を配設してなる本体枠１２を開閉可能に配設してなる。また、パチンコ遊技機１は、本体枠１２の前面側にガラス扉１３を開閉可能に配設すると共に、本体枠１２の後面側に上記枠体としての機構板２を開閉可能に配設してなる。
なお、本例において、前面側とは、遊技者と対向するパチンコ遊技機１の正面側のことをいい、後面側とは、パチンコ遊技機１の裏面側のことをいう。図４において、パチンコ遊技機１の前後方向をＤで示し、前面側をＤ１で示す。
【００１９】
図示は省略するが、本体枠１２における遊技盤には、液晶画面等の大型の表示部や入賞装置が配設してあり、図５に示すごとく、機構板２には、上記表示部や入賞装置の後方突出部分を配置することができる開口部２０が形成してある。
【００２０】
図５に示すごとく、機構板２には、交流電力（本例では、交流２４Ｖ）を直流電力（直流１２Ｖ、５Ｖ等）に変換する電源ユニット６１、球払出装置６５及び球発射装置等の制御を行う制御ユニット６２、遊技球を貯留する球タンク６３、球タンク６３に貯留した遊技球を流下させる球流路６４、球流路６４内を流下する遊技球を本体枠１２の前面側に配設した球皿へ払い出す球払出装置６５等が配設してある。
なお、図５は、機構板２をパチンコ遊技機１の後面側から見た状態で示す図である。
【００２１】
また、同図に示すごとく、機構板２は、上辺部２０１、左右一対の側辺部２０２、２０３及び下辺部２０４からなる枠形状を有しており、本例の取付ベース部３は、機構板２における左右いずれかの側辺部を構成している。
本例の機構板２は、その上辺部２０１に球タンク６３を配設し、その一方の側辺部（パチンコ遊技機１の前面側から見たときの右辺部２０２）に上記配線カバー４によって電気ケーブル５を配線してなる取付ベース部３を配設し、その他方の側辺部（パチンコ遊技機１の前面側から見たときの左辺部２０３）に球流路６４を配設し、その下辺部２０４に球払出装置６５、電源ユニット６１及び制御ユニット６２等を配設してなる。
【００２２】
このように、遊技球を流下させる球流路６４と、電気配線を行う取付ベース部３とを、機構板２における左右の側辺部２０２、２０３において別々に配設することにより、取付ベース部３に配線した電気ケーブル５（特に、後述する信号ケーブル５Ｂ）に、球流路６４内を流下する遊技球によってノイズが生じることを防止することができる。
【００２３】
また、図１、図４、図５に示すごとく、本例の取付ベース部３は、機構板２における右辺部２０２において、当該機構板２における左右方向Ｗの寸法が前後方向Ｄの寸法に対して薄くなっている。また、本例の取付ベース部３は、板金（鋼板）から形成してあり、この板金に配線カバー４を配設し、この配線カバー４内に電気ケーブル５を配置してなる。
また、本例の機構板２は、取付ベース部３を板金から形成することにより、機構板２における右辺部２０２の強度を確保して、機構板２における右辺部２０２の左右方向Ｗの厚みを極めて小さくしている。そして、本例の機構板２における開口部２０の開口面積を極めて大きくしている。
【００２４】
図５に示すごとく、本例の機構板２において、上記電源ユニット６１へ交流電力を供給する電源ケーブル５Ａ（電気ケーブル５）は、機構板２の上辺部２０１と左辺部２０３との間の角部から、上辺部２０１及び右辺部２０２を構成する取付ベース部３の配線カバー４内を通って、下辺部２０４に配設した電源ユニット６１へ配線してある。
【００２５】
また、図４、図５に示すごとく、本例の機構板２の前面側には、本体枠１２に対するガラス扉１３の開閉状態を検出するための開閉検出スイッチ２１が配設してある。この開閉検出スイッチ２１は、機構板２の右辺部２０２の上部（又は機構板２の上辺部２０１と右辺部２０２との間の角部）に配設してある。
【００２６】
そして、図１、図２に示すごとく、配線カバー４内には、上記電源ケーブル５Ａ以外にも、開閉検出スイッチ２１の信号ケーブル５Ｂも収容してある。
本例の配線カバー４における配線収容部４２に収容する電気ケーブル５は、上記電源ケーブル５Ａの２本と、上記開閉検出スイッチ２１の信号ケーブル５Ｂ（電気ケーブル５）の２本との４本である。
【００２７】
また、図４に示すごとく、ガラス扉１３の裏面側には、開閉検出スイッチ２１をオン・オフ状態にするための突出リブ１３１が設けてある。そして、ガラス扉１３を本体枠１２に対して開閉するときには、突出リブ１３１が、本体枠１２に設けた貫通孔を介して開閉検出スイッチ２１をオン・オフ操作する。また、開閉検出スイッチ２１は、ガラス扉１３を本体枠１２に対して開放したことだけでなく、機構板２を本体枠１２に対して開放したことも検出することができる。
【００２８】
図５に示すごとく、本例の機構板２の左辺部２０３には、この機構板２を本体枠１２に対して開閉させる際の開閉支点２３が上下２箇所に形成してある。
また、図４に示すごとく、外枠１１には、本体枠１２を外枠１１に施錠する際の施錠フック１１１が形成してあり、この施錠フック１１１は外枠１１の内側（中心側）に向けて突出している。
【００２９】
図１、図４に示すごとく、本例の機構板２における取付ベース部３は、機構板２の前後方向Ｄ（パチンコ遊技機１の前後方向Ｄ）に平行に形成し、配線カバー４の挟持部４１によって挟持される被挟持部３１と、この被挟持部３１の後方側に連続形成し、この被挟持部３１に対して機構板２の内側（中心側）に向けて斜めに折曲形成した折曲形成部３２とを有している。
そして、取付ベース部３に折曲形成部３２を形成したことにより、機構板２を取り付けた本体枠１２を外枠１１に対して開閉する際に、取付ベース部３が外枠１１における施錠フック１１１に干渉することを防止することができる。図４においては、取付ベース部３の回転軌道を２点鎖線で示した。
【００３０】
また、図１に示すごとく、取付ベース部３における折曲形成部３２を機構板２の内側に向けて折曲形成したことによって、本例の配線カバー４における配線収容部４２は、被挟持部３１の内側及び折曲形成部３２の内側に形成された空間を利用して形成してある。これにより、機構板２における右辺部２０２の左右方向Ｗの厚みが大きくなることを効果的に防止して、取付ベース部３と外枠１１における施錠フック１１１との干渉を避けることができる。
【００３１】
また、取付ベース部３に取り付けた配線カバー４の配線収容部４２内に配置した電気ケーブル５は、配線収容部４２における収容突起４２１と、取付ベース部３における折曲形成部３２とにより外部に抜け出ることを防止して、配線収容部４２内に保持することができる。この構成により、取付ベース部３と配線カバー４の配線収容部４２とによって電気ケーブル５を囲むことになり、この電気ケーブル５を保護することができる。また、機構板２の内側に向けて折曲形成した折曲形成部３２は、配線収容部４２内に電気ケーブル５を配置するときの案内として用いることもできる。
【００３２】
図５に示すごとく、本例の機構板２の左辺部２０３に配設した球流路６４は、機構板２における開口部２０の開口面積を大きくするために、２条（２列）の球流下通路６４１を機構板２の前後方向Ｄに並べて形成してある（詳細は省略）。また、この２条の球流下通路６４１は、機構板２の前後方向Ｄに蛇行して形成してある。そして、球流路６４の左右方向Ｗの厚みを極力小さくしている。
【００３３】
また、同図に示すごとく、本例の機構板２の後面側には、この機構板２における開口部２０を覆う開口部カバー２２が配設してある。この開口部カバー２２は、その一方の側部に形成したカバー側支点部２２１を、機構板２における取付ベース部３に配設したベース側支点部３３に係合させた状態で、これらの支点部２２１、３３を中心に開閉可能である。また、上記球流路６４において２条の球流下通路６４１を形成していないスペースには、開口部カバー２２の他方の側部に形成したカバー側係合部２２２を係合させる流路側被係合部６４２が形成してある。
【００３４】
図４に示すごとく、上記本体枠１２には、この本体枠１２を閉じた状態で外枠１１に施錠する施錠装置１２１が配設してある。
また、図７に示すごとく、板金からなる取付ベース部３には、上記施錠装置１２１の板金部分に接触する導通金具３４が配設してある。この導通金具３４には、弾性変形して施錠装置１２１の板金部分に接触する弾性変形部３４１が形成してある。
【００３５】
また、取付ベース部３には、機構板２に配設した球タンク６３や球流路６４等からのアース線が接続してあり、施錠装置１２１には、本体枠１２に配設した球皿や発射装置等（図示略）からのアース線が接続してある。そして、機構板２を本体枠１２に閉じたとき（通常時）には、導通金具３４を介して機構板２と本体枠１２とがアース接続される。
また、取付ベース部３は、電源ユニット６１のアース端子と接続してあり、電源ユニット６１には、パチンコ遊技機１の外部へアース配線処理をするための外部アース端子が別途設けてある。
【００３６】
本例の配線カバー４は、ＰＡ（ポリアミド）等の柔軟性を有する合成樹脂から形成してある。この配線カバー４は、挟持部４１を弾性変形させ、この挟持部４１における複数の係合部４１１を、取付ベース部３における各被係合部３１１に係合することにより、取付ベース部３に取り付けることができる。そのため、配線カバー４は、接着剤等を用いずに、取付ベース部３に取り付けることができ、取付ベース部３から取り外すことも容易である。これにより、配線カバー４は、繰り返し使用することが可能であり、リユース性に優れている。
【００３７】
図３に示すごとく、本例の配線カバー４における挟持部４１に形成した複数の係合部４１１は、挟持部４１における内側対向面４０１から突出形成した取付突起４１１である。また、本例の取付突起４１１は、挟持部４１における先端部の内側対向面４０１に形成してある。
また、図１、図３に示すごとく、本例の機構板２における取付ベース部３に形成した複数の被係合部３１１は、上記取付突起４１１を配置するための突起配置用貫通穴３１１である。
【００３８】
そして、図１に示すごとく、配線カバー４は、挟持部４１における各取付突起４１１を、取付ベース部３における各突起配置用貫通穴３１１内に配置し、挟持部４１によって取付ベース部３の両側表面３０１、３０２を挟み込むことにより、取付ベース部３に取り付けてある。
【００３９】
図６に示すごとく、本例の取付突起４１１及び突起配置用貫通穴３１１は、配線カバー４及び取付ベース部３における長尺方向Ｌの３箇所にそれぞれ形成してある。
また、図２、図６に示すごとく、本例の配線カバー４における配線収容部４２には、その長尺方向Ｌの複数箇所（本例では４箇所）に、上記電気ケーブル５を配線収容部４２内に収容するための収容突起４２１が形成してある。
【００４０】
図１に示すごとく、本例の挟持部４１は、取付ベース部３の一方の表面３０１に対面し、複数の取付突起４１１を形成した第１対面部４１２と、取付ベース部３の他方の表面３０２に対面する第２対面部４１４と、第１対面部４１２と第２対面部４１４とを連結する連結部４１３とからなる。
また、本例の取付目印４３は、配線カバー４を射出成形する際に挟持部４１における連結部４１３に形成された目印用貫通穴４３である。
【００４１】
本例の配線カバー４は、挟持部４１の板面方向と配線収容部４２の板面方向とを平行にして形成してあり、図８に示すごとく、配線カバー４の射出成形を行う一対の成形型７は、挟持部４１及び配線収容部４２の形成方向（板面方向に直交する方向）の両側から合わさって、配線カバー４を成形するためのキャビティ７０を形成するよう構成してある。
配線カバー４の外周側を成形する一方の成形型７Ａには、挟持部４１の内側面及び取付突起４１１を成形するための第１型突出部７１と、配線収容部４２の内側面及び収容突起４２１を成形するための第２型突出部７２とが形成してある。
【００４２】
そして、同図に示すごとく、一対の成形型７におけるキャビティ７０内に合成樹脂原料を充填して、合成樹脂からなる配線カバー４を成形したときには、上記第１型突出部７１によって、配線カバー４の挟持部４１には、目印用貫通穴４３が形成されると共に、上記第２型突出部７２によって、配線カバー４の配線収容部４２には、成形時貫通穴４４が形成される。
その後、図９に示すごとく、成形後の配線カバー４をキャビティ７０内から取り出すときには、一対の成形型７を開ける。このとき、目印用貫通穴４３から第１型突出部７１が抜き出され、成形時貫通穴４４から第２型突出部７２が抜き出される。
このように、本例の取付目印４３は、配線カバー４の射出成形を行うときに形成される目印用貫通穴４３とすることができる。
【００４３】
本例の機構板２における配線構造１０は、パチンコ遊技機１における機構板２の右辺部２０２として、長尺状の板形状を有する板金からなる取付ベース部３を用いた際に、この取付ベース部３に電気配線を行うときの工夫を行っている。
そして、本例の機構板２においては、配線カバー４の挟持部４１を取付ベース部３に挟持させ、この取付ベース部３における複数の取付突起４１１を、取付ベース部３における複数の突起配置用貫通穴３１１にそれぞれ係合させて、当該配線カバー４を取付ベース部３に取り付ける。
【００４４】
その後、電源ユニット６１における２本の電源ケーブル５Ａ、及び開閉検出スイッチ２１における２本の信号ケーブル５Ｂを、取付ベース部３における折曲形成部３２と、配線カバー４における配線収容部４２との間のスペースに挿通させて、当該取付ベース部３に電源ケーブル５Ａ及び信号ケーブル５Ｂの配線を行う。こうして、配線カバー４の配線収容部４２内の長尺方向Ｌに向けて、電源ケーブル５Ａ及び信号ケーブル５Ｂを配置することによって、取付ベース部３に電気配線を行うことができる。
【００４５】
ところで、上記配線作業を行う際には、各取付突起４１１は、挟持部４１の内側対向面４０１に形成してあるために、作業者が視認し難い状況にある。これに対し、本例の配線カバー４においては、各取付突起４１１の形成位置に対応して、上記各目印用貫通穴４３が、挟持部４１の外側露出面４０２に形成してある。
【００４６】
そのため、作業者は、配線カバー４を取付ベース部３に取り付ける際には、各目印用貫通穴４３を視認することにより、各取付突起４１１の形成箇所を認識することができる。これにより、作業者は、各目印用貫通穴４３の形成箇所を、取付ベース部３における各突起配置用貫通穴３１１の形成箇所に合わせることによって、当該配線カバー４を簡単に取付ベース部３に取り付けることができる。
なお、上記取付目印４３は、上記目印用貫通穴４３とする以外にも、例えば、目印用突起、貫通していない目印用溝等とすることもできる。
【００４７】
それ故、本例のパチンコ遊技機１における機構板２の配線構造１０によれば、上記構成の配線カバー４を用いることにより、長尺状の板形状を有する取付ベース部３に、電気配線を簡単に行うことができる。
【００４８】
なお、配線カバー４を取付ベース部３に取り付ける取付部は、取付ベース部３を挟持する挟持部４１とするだけではなく、適宜、別構造とすることもできる。また、取付ベース部３における被係合部３１１を突起形状にし、取付部（挟持部４１）における係合部４１１を穴形状にすることもできる。
【００４９】
また、上記配線構造１０は、機構板２に形成するだけでなく、本体枠１２、ガラス扉１３、球皿部等の遊技機１における適宜箇所に形成することもできる。
また、取付ベース部３を構成する板金は、鋼板とするだけでなく、マグネシウム合金、アルミニウム等の別の金属部材とすることもできる。また、取付ベース部３は、金属製の板金から構成するだけでなく、硬い種々の部材（樹脂、グラスファイバー等）から構成することもできる。
【００５０】
また、上記配線構造１０は、パチンコ遊技機１に採用するだけでなく、アレンジボール遊技機、遊技球、メダル、コイン等を遊技媒体に用いる回胴式遊技機等の各種遊技機に採用することもできる。
【図面の簡単な説明】
【００５１】
【図１】実施例における、取付ベース部に取り付けた配線カバーに、電気配線を行った状態の機構板の配線構造を示す断面説明図。
【図２】実施例における、取付ベース部に取り付けた配線カバーの配線収容部の周辺を示す斜視説明図。
【図３】実施例における、取付ベース部に取り付けた配線カバーの挟持部の周辺を示す斜視説明図。
【図４】実施例における、パチンコ遊技機の一部を示す断面説明図。
【図５】実施例における、取付ベース部を形成した機構板を、後面側から見た状態で示す説明図。
【図６】実施例における、配線カバーを取り付けた取付ベース部の周辺を示す斜視説明図。
【図７】実施例における、取付ベース部と施錠装置とを導通させる導通金具の周辺を示す説明図。
【図８】実施例における、配線カバーを成形する成形型を示す図で、成形型内に配線カバーを成形した状態を示す説明図。
【図９】実施例における、配線カバーを成形する成形型を示す図で、成形型から配線カバー取り出す状態を示す説明図。
【符号の説明】
【００５２】
１  パチンコ遊技機
１０  配線構造
１２  本体枠
２  機構板
２０  開口部
２１  開閉検出スイッチ
３  取付ベース部
３１１  被係合部（突起配置用貫通穴）
４  配線カバー
４０１  内側対向面
４０２  外側露出面
４１  挟持部
４１１  係合部（取付突起）
４２  配線収容部
４２１  収容突起
４３  取付目印（目印用貫通穴）
５  電気ケーブル
Ｌ  長尺方向
【図１】
2007282853.tif 000003
【図２】
2007282853.tif 000004
【図３】
2007282853.tif 000005
【図４】
2007282853.tif 000006
【図５】
2007282853.tif 000007
【図６】
2007282853.tif 000008
【図７】
2007282853.tif 000009
【図８】
2007282853.tif 000010
【図９】
2007282853.tif 000011